(57)【要約】【課題】運行設備の安全運行を確保できるように、操縦者自身の人体の生理的兆候を探知して健康状態を把握すること。【解決手段】人体の生理徴候を感測し、それを感測処理手段に通報する計測素子を含み、感測手段は計測素子から受収した生理徴候信号を状況信号に変換し、これを表示装置、通信装置、またはＧＰＳに出力して、表示、通信、または位置決めする。【選択図】図１
0003137372.tif 000002
【実用新案登録請求の範囲】
【請求項１】
運行設備に組み込まれた感測及び処理装置であって、
人体生理徴候を感測し、前記生理徴候を感測処理手段に通報する計測素子を含み、
前記感測処理手段は前記計測素子から受収した生理徴候信号を状況信号に変換し、
これを表示装置、通信装置、またはグローバル、ポジィショニング・システム（Ｇｌｏｂａｌ  Ｐｏｓｉｔｉｏｎｉｎｇ  Ｓｙｓｔｅｍ  ＧＰＳ）に送信出力することを特徴とする、
運行設備に組み込まれた人体生理徴候の感測及び処理装置。
【請求項２】
運行設備に組み込まれた感測及び処理装置であって、
人体の生理徴候を感測し、前記生理徴候を感測処理手段に通報する計測素子と、
前記計測素子から受収した生理徴候信号を状況信号に変換し、これを表示装置、通信装置、またはＧＰＳに送信出力する感測処理手段と、
前記表示装置、前記通信装置、またはＧＰＳとの通信器とからなって、
前記運行設備の内部の適当な位置に配置され、前記状況信号を受信し、これを表示したり、警報を発したり、ＧＰＳにより位置決めし、この情報を遠隔地に送信したりする生理機能監視制御手段とを含むことを特徴とする、
運行設備に組み込まれた、人体生理徴候の感測及び処理装置。
【請求項３】
運行設備に組み込まれた感測及び処理装置であって、
人体の生理徴候を感測し、前記生理徴候を感測処理手段に通報する計測素子と、
前記計測素子から受収した生理徴候信号を状況信号に変換し、これを表示装置に出力する前記感測処理手段と、
前記運行設備の内部の適当な位置に配置され、前記感測処理手段から出力された前記状況信号を受信し、これを表示し、または警報を発する前記表示位置とを含むことを特徴とする、
運行設備に組み込まれた、人体生理徴候の感測及び処理装置。
【請求項４】
運行設備に組み込まれた感測及び処理装置であって、
人体の生理徴候を感測し、前記生理徴候を感測処理手段に通報する計測素子と、
前記計測素子から受収した生理徴候信号を状況信号に変換し、これを通信装置に送信出力する前記感測処理手段と、
前記感測処理手段から出力された前記状況信号を受信し、これを遠隔地に送信する前記通信装置とを含むことを特徴とする、
運行設備に組み込まれた、人体生理徴候の感測及び処理装置。
【請求項５】
運行設備に組み込まれた感測及び処理装置であって、
人体の生理徴候を感測し、前記生理徴候を感測処理手段に通報する計測素子と、
前記計測素子から受収した生理徴候信号を状況信号に変換し、これをＧＰＳとの通信器に出力する、前記感測処理手段と、
前記感測処理手段から出力された前記状況信号を受信し、ＧＰＳの位置決めを受け、この情報を遠隔地に送信する前設ＧＰＳとの通信器とを含むことを特徴とする、
運行設備に組み込まれた、人体生理徴候の感測及び処理装置。
【請求項６】
前記計測素子は触圧されて電気回路を形成し、感測する機能を持つ導電片であることを特徴とする、請求項１から５の任意の１項に記載の感測及び処理装置。
【請求項７】
前記導電片は運行設備の操作器に結合されていることを特徴とする、請求項６に記載の感測及び処理装置。
【請求項８】
前記導電片は運行設備の操縦者の手袋に連結されていることを特徴とする、請求項６に記載の感測及び処理装置。
【請求項９】
前記感測処理手段はＬｅａｄ  １  の心電現象や脈拍を感測して心電図を記録し、またＳＴ  ｓｅｇｍｅｎｔ  を監測して心筋の酸素欠乏徴候を早期発見することを特徴とする、請求項１から５の任意の１項に記載の感測及び処理装置。
【請求項１０】
前記感測処理手段はＬｅａｄ  II、III、またはＡＶＲ、ＡＶＦ、Ｖ１〜Ｖ６を感測して、一層正確な感測効果を達成することを特徴とする、請求項１から５の任意の１項に記載の感測及び処理装置。
【請求項１１】
前記感測処理手段は指紋の識別機能を有することを特徴とする、請求項１から５の任意の１項に記載の感測及び処理装置。
【請求項１２】
前記感測処理手段は触圧により、記録する機能を有することを特徴とする、請求項１から５の任意の１項に記載の感測及び処理装置。
【請求項１３】
前記感測処理手段は血糖、血圧、血中酸素、体温、汗量、呼吸、脳波などの生理徴候を感測する機能を有することを特徴とする、請求項１から５の任意の１項に記載の感測及び処理装置。
【請求項１４】
前記感測処理手段はＲＦＩＤと組合わせる機能を有することを特徴とする、請求項１から５の任意の１項に記載の感測及び処理装置。
【請求項１５】
前記感測処理手段は、影像と音声を記録できることを特徴とする、請求項１から５の任意の１項に記載の感測及び処理装置。
【請求項１６】
前記感測処理手段は、運行設備の操縦者の操縦中における凡ゆる生命の徴候を記録、ストアして分析に供することを特徴とする、請求項１から５の任意の１項に記載の感測及び処理装置。
【請求項１７】
前記感測処理手段は、アラーム信号を警報器に出力し、後続の車両に危険を避けるよう警戒することを特徴とする、請求項１から５の任意の１項に記載の感測及び処理装置。
【請求項１８】
前記運行設備とは、各種形式の航空器であることを特徴とする、請求項１から５の任意の１項に記載の感測及び処理装置。
【請求項１９】
前記運行設備とは、各種形式の陸上機動車両であることを特徴とする、請求項１から５の任意の１項に記載の感測及び処理装置。
【請求項２０】
前記運行設備とは、各種形式の海上船舶であることを特徴とする、請求項１から５の任意の１項に記載の感測及び処理装置。
【請求項２１】
前記運行設備とは、各種形式の海中潜航艇であることを特徴とする、請求項１から５の任意の１項に記載の感測及び処理装置
【請求項２２】
前記運行設備とは、各種形式の空中飛行物、ロケット、スペース・シャトルであることを特徴とする、請求項１から５の任意の１項に記載の感測及び処理装置。
【考案の詳細な説明】
【技術分野】
【０００１】
本考案は各種の運行設備に組み込まれた人体の生理的な徴な兆候を観測、及び計測するためのし運行設備に組み込まれた人体生理徴候の感測及び処理装置に関するもので、運行設備の操縦者が随時この感測及び処理装置を通じて自身の生理徴候に注意し、運行設備の運行中の安全を確保し、また運行設備の付加価値を高める装置に関するものである。
【背景技術】
【０００２】
科学技術の進歩に伴い、各種運行設備、例えば自動車、船舶、航空器、その他の機動車なども多元化を期して、発展して行く様相を呈している。
目下使用者が運行設備を購入するに当たり、先ずその価格、性能、安逸性、安定性と実用性を考慮する外、安全性も益々重視されるようになってきた。
従って運行設備の設計者や製造者もその安全性に重点を措かざるを得ないようになった。
【０００３】
自動車を例に取ってみても、安全性を確保するため、車体を堅固に構成する外、安全に関するアクセサリーは、安全気嚢（エアバッグ）、ＡＢＳブレーキシステム、後退レーダ、第三ブレーキ灯と枚挙に暇がない状態である。
ソフト・ウェア、ハート・ウェアの不断の改良もひとへに、乗用者の安全を期すためになされているのである。
然るに上記の措置は受動的なものであり、ドライバーの生理徴候を常時監視して異常を発見し、禍いを未然に防ぐことが尤も肝要であることは言うまでない。
【０００４】
体温、血圧、脈拍、血糖、血中酸素などのデータを体表から感測する技術はもう既に珍しいものではない。
更に一歩進んだ生理機能の感測儀器も成熟した医療機器となっている。
もしその功能を拡張してセンサーから得たデータを処理し、その結果を表示し、警報を発し、ストアし、また他所に伝達ができたら、人類の福祉に如何ばかりの貢献を与えるであらうか、計り知れないものがある。
【０００５】
以上の見方に基づいて、目前使用率の非常に高い運行設備に人体生理徴候の感測及び処理装置を搭載して、運転者の生理徴候を常時監視できれば、交通事故を未然に防止でき、交通安全の確保に一層寄与するものである。
これは今後の運行設備の発展の上で重要な課題となるであろう。
【０００６】
本願の考案者は過去に台湾においてこの種の装置に関しつぎのような幾つかの提案を行なった。
１．「携帯電話と組み合わせた生理機能探知装置」（台湾００４５４０２号）。
２．「生命感測儀器と結合したパーソナル・ディジタル・アシスタントの伝送インターフェース」（台湾００４６２０００号）。
３．「携帯電話と結合した人体機能信号処理装置」（台湾２００４４１２７７７号）。
４．「イヤホン式生命機能探知装置」（台湾Ｍ２４１００２号）。
５．「生命情報無線伝送系統」（台湾１２４９１２２号）。
６．「耳温感知器を含んだ携帯通信装置」（台湾Ｍ２９２２２１号）。
７．「携帯通信装置と結合した耳温感知器」（台湾Ｍ２９６０２８号）。
８．「携帯通信器に装置された人体機能検知モジュール」（台湾Ｍ３０９２９９号）等。
【０００７】
上述した先行技術が改善の余地がある事実に鑑みて、本願の考案者は一層実用に適し、人類の健康と交通の安全に寄与する装置を開発せんがため、長年苦心研鑽した。その結果、遂に本願の運行設備に組み込まれた人体の生理徴候の感測及び処理装置の開発の成功を見るに至ったのである。
【考案の開示】
【考案が解決しようとする課題】
【０００８】
本考案の目的は、運行設備の操縦者（運転者）が随時自身の生理徴候に注意して、運行中の安全を確保し、また運行設備の付加価値を高めることができる、運行設備に組み込まれた人体生理徴候の感測及び処理装置を提供することにある。
【０００９】
本考案のまた１つの目的は、各種の運行設備、例えば航空器、船舶、機動車両、ロケット、潜航艇、スペース・シャトルなどに組み込める、人体生理徴候の感測及び処理装置を提供して、常時操縦者（運転者）が触圧方式で、自身の生理徴候を感測できるようにすることにある。
【００１０】
本考案の更に１つの目的はコストが安く、操作が簡単で、小型且つ応用範囲の広い、運行設備に組み込まれた人体生理徴候の感測及び処理装置を提供することにある。
【課題を解決するための手段】
【００１１】
上記の目的を達成するため、本考案では人体の生理徴候を感測し、これを感測処理手段に通報する計測素子と、この計測素子から受収した生理徴候信号を状況信号に変換し、これを表示装置、通信装置、またはグローバル、ポジィショニング・システム（Global Positioning System  ＧＰＳ）に送信出力する感測処理手段とを含んだ運行設備に組み込まれた人体生理徴候の感測及び処理装置を提供する。
表示装置、通信装置、またはＧＰＳとの通信器は運行設備の内部の適当な位置に配置され、状況信号を受信し、これを表示したり、警報を発したり、記録したり、ストアしたり、ＧＰＳにより位置決めしたり、これらの情報を遠隔地に送信したりするのである。運行設備の操縦者（運転者）は、常時この装置を利用して操縦者自身の生理的な徴な兆候を把握して、事故を未然に防止するのである。
【００１２】
即ち本願の第１考案は、運行設備に組み込まれた感測及び処理装置であって、人体生理徴候を感測し、前記生理徴候を感測処理手段に通報する計測素子を含み、前記感測処理手段は前記計測素子から受収した生理徴候信号を状況信号に変換し、これを表示装置、通信装置、またはＧＰＳに送信出力することを特徴とする、運行設備に組み込まれた人体生理徴候の感測及び処理装置を提供する。
本願の第２考案は、運行設備に組み込まれた感測及び処理装置であって、人体の生理徴候を感測し、前記生理徴候を感測処理手段に通報する計測素子と、前記計測素子から受収した生理徴候信号を状況信号に変換し、これを表示装置、通信装置、またはＧＰＳに送信出力する感測処理手段と、前記表示装置、前記通信装置、またはＧＰＳとの通信器とからなって、前記運行設備の内部の適当な位置に配置され、前記状況信号を受信し、これを表示したり、警報を発したり、ＧＰＳにより位置決めし、この情報を遠隔地に送信したりする生理機能監視制御手段とを含むことを特徴とする、運行設備に組み込まれた、人体生理徴候の感測及び処理装置を提供する。
本願の第３考案は、運行設備に組み込まれた感測及び処理装置であって、人体の生理徴候を感測し、前記生理徴候を感測処理手段に通報する計測素子と、前記計測素子から受収した生理徴候信号を状況信号に変換し、これを表示装置に出力する前記感測処理手段と、前記運行設備の内部の適当な位置に配置され、前記感測処理手段から出力された前記状況信号を受信し、これを表示し、または警報を発する前記表示位置とを含むことを特徴とする、運行設備に組み込まれた、人体生理徴候の感測及び処理装置を提供する。
本願の第４考案は、運行設備に組み込まれた感測及び処理装置であって、人体の生理徴候を感測し、前記生理徴候を感測処理手段に通報する計測素子と、前記計測素子から受収した生理徴候信号を状況信号に変換し、これを通信装置に送信出力する前記感測処理手段と、前記感測処理手段から出力された前記状況信号を受信し、これを遠隔地に送信する前記通信装置とを含むことを特徴とする、運行設備に組み込まれた、人体生理徴候の感測及び処理装置を提供する。
本願の第５考案は、運行設備に組み込まれた感測及び処理装置であって、人体の生理徴候を感測し、前記生理徴候を感測処理手段に通報する計測素子と、前記計測素子から受収した生理徴候信号を状況信号に変換し、これをＧＰＳとの通信器に出力する、前記感測処理手段と、前記感測処理手段から出力された前記状況信号を受信し、ＧＰＳの位置決めを受け、この情報を遠隔地に送信する前設ＧＰＳとの通信器とを含むことを特徴とする、運行設備に組み込まれた、人体生理徴候の感測及び処理装置を提供する。
本願の第６考案は、前記計測素子は触圧されて電気回路を形成し、感測する機能を持つ導電片であることを特徴とする、第１考案から第５考案の任意の１項に記載の感測及び処理装置を提供する。
本願の第７考案は、前記導電片は運行設備の操作器に結合されたいることを特徴とする、第６考案に記載の感測及び処理装置を提供する。
本願の第８考案は、前記導電片は運行設備の操縦者の手袋に連結されていることを特徴とする、第６考案に記載の感測及び処理装置を提供する。
本願の第９考案は、前記感測処理手段はＬｅａｄ  １  の心電現象や脈拍を感測して心電図を記録し、またＳＴ  ｓｅｇｍｅｎｔ  を監測して心筋の酸素欠乏徴候を早期発見することを特徴とする、第１考案から第５考案の任意の１項に記載の感測及び処理装置を提供する。
本願の第１０考案は、前記感測処理手段はＬｅａｄ  II、III、またはＡＶＲ、ＡＶＦ、Ｖ１〜Ｖ６を感測して、一層正確な感測効果を達成することを特徴とする、第１考案から第５考案の任意の１項に記載の感測及び処理装置を提供する。
本願の第１１考案は、前記感測処理手段は指紋の識別機能を有することを特徴とする、第１考案から第５考案の任意の１項に記載の感測及び処理装置を提供する。
本願の第１２考案は、前記感測処理手段は触圧により、記録する機能を有することを特徴とする、第１考案から第５考案の任意の１項に記載の感測及び処理装置を提供する。
本願の第１３考案は、前記感測処理手段は血糖、血圧、血中酸素、体温、汗量、呼吸、脳波などの生理徴候を感測する機能を有することを特徴とする、第１考案から第５考案の任意の１項に記載の感測及び処理装置を提供する。
本願の第１４考案は、前記感測処理手段はＲＦＩＤと組合わせする機能を有することを特徴とする、第１考案から第５考案の任意の１項に記載の感測及び処理装置を提供する。
本願の第１５考案は、前記感測処理手段は、影像と音声を記録できることを特徴とする、第１考案から第５考案の任意の１項に記載の感測及び処理装置を提供する。
本願の第１６考案は、前記感測処理手段は、運行設備の操縦者の操縦中における凡ゆる生命の徴候を記録、ストアして分析に供することを特徴とする、第１考案から第５考案の任意の１項に記載の感測及び処理装置を提供する。
本願の第１７考案は、前記感測処理手段は、アラーム信号を警報器に出力し、後続の車両に危険を避けるよう警戒することを特徴とする、第１考案から第５考案の任意の１項に記載の感測及び処理装置を提供する。
本願の第１８考案は、前記運行設備とは、各種形式の航空器であるとを特徴とする、第１考案から第５考案の任意の１項に記載の感測及び処理装置を提供する。
本願の第１９考案は、前記運行設備とは、各種形式の陸上機動車両であることを特徴とする、第１考案から第５考案の任意の１項に記載の感測及び処理装置を提供する。
本願の第２０考案は、前記運行設備とは、各種形式の海上船舶であることを特徴とする、第１考案から第５考案の任意の１項に記載の感測及び処理装置を提供する。
本願の第２１考案は、前記運行設備とは、各種形式の海中潜航艇であることを特徴とする、第１考案から第５考案の任意の１項に記載の感測及び処理装置を提供する。
本願の第２２考案は、前記運行設備とは、各種形式の空中飛行物、ロケット、スペース・シャトルであることを特徴とする、第１考案から第５考案の任意の１項に記載の感測及び処理装置を提供する。
【考案の効果】
【００１３】
本考案に係る運行設備に組み込まれた人体生理徴候の感測及び処理装置はつぎのような利点がある。
（１）本装置は運行設備に組み込まれているので、ドライバーやパイロットは如何なるとき、どこでも自身の生理徴候を感測できるので、事故を未然に防止でき、運行設備の運行中の安全が確保され、その付加価値も向上する。
（２）あらゆる種類や形式の運行設備にも応用可能であり便利である。
（３）即時触圧により感測、警告が可能なので、効果が高く、操作が簡単であるだけでなく、小型でコストも安く応用範囲が広い。
【考案を実施するための最良の形態】
【００１４】
図１は本考案に係る、運行設備に組み込まれた人体生理徴候の感測及び処理装置の構成の説明図である。
人体の生理徴候感測及び処理装置１は運行設備２の内部に設けられ、その中には感測処理手段と計測素子１１が含まれている。
【００１５】
計測素子１１は人体の生理徴候（心電図、脈拍、血糖、血圧、血中酸素、脳波、体温、呼吸等）を感測(監視、計測)し、これを感測処理手段に通報する。
計測素子１１は導電片の形式に作られ、運行設備の操作器に結合されたり、操縦者（運転者）の手袋に連結されたりして、これらを触圧することにより、動作して所望の信号が発信されるのである。
【００１６】
人体生理徴候感測及び処理装置１の感測処理手段は計測素子１１から受け取った生命徴候信号を処理して状況信号に変換し、これを表示装置１２、通信装置２１に出力するもので、例えば公知の電子機器を採用できる。
人体生理徴候感測及び処理装置１の機能は下記の如くである。
【００１７】
（１）Ｌｅａｄ  １  の心電現象、脈拍を計測、記録して心電図を作成する。またＳＴ  ｓｅｇｍｅｎｔ  を監測し、心筋の酸素欠乏徴候を早期に探知する。その探知可能の範囲はＬｅａｄ  II、III、或いはＡＶＲ、ＡＶＦ、ＡＶＬ及びＶ１〜Ｖ６に至り、一層正確な監測効果が得られる。
【００１８】
（２）指紋の識別。
【００１９】
（３）触圧による記録（触圧力変化により、生理状態を感測する）。
【００２０】
（４）血糖（非侵入式）、血圧（任意）、血中酸素、体温、流汗、呼吸、脳波などの生命徴候の感測。
【００２１】
（５）ＲＦＩＤを結合する機能。
【００２２】
（６）影像及び音声の記録。
【００２３】
（７）操縦者（運転者）の運行中に於ける生命徴候を記録して、個人の「生理機能監視ブラック・ボックス」の作成。
【００２４】
表示装置１２は運行設備２内部の適当な位置に設けられていて、人体生理徴候感測及び処理装置１から出力された状況信号を受信して、これを表示したり、警報を発したりする。
【００２５】
通信装置２１は、人体生理徴候の感測及び処理装置１から出力された状況信号を受信して、これを遠隔地点の所望の目標に伝達する。
【００２６】
ＧＰＳとの通信器２２は、人体生理徴候の感測及び処理装置１から出力された状況信号を受信して、ＧＰＳの位置決めを受け、またこの情報を遠隔地点の所望の目標地に伝達する。
【００２７】
本考案においては、人体の生理徴候を人体が計測素子１１との接触により、１つの電気回路を形成し、感測された生理徴候信号を前記処理装置１で処理し、状況信号に変換し、選択的に表示装置１２、通信装置２１或いはＧＰＳ  ２２に出力して、表示したり、警報を発したり、位置決めをしたり、或いはこの信号を遠隔地に伝達したりして、遠方からでも操縦者（運転者）の生理状態を把握できるものである。
【００２８】
図２は本考案の１実施例図である。
図２中の２つの導電片３１は自動車のハンドル３の各々一方に位置しているので、ドライバーは両手の親指で簡単に触圧でき、１つの電気回路を形成する。
生理徴候信号を感測及び処理装置１で状況信号に変換し、これを車内の表示装置４で表示、または警報を出すのである。
また通信装置でこの状況信号を遠隔地に伝達したり、ＧＰＳで位置決めすることもできる。
このようにドライバー自身でも、リモートの監視者でも常時ドライバーの健康状態を把握でき、危険を未然に防ぐことができる。
また、車上の顕著な位置に警報器を備え、後続の車両に警告を与えることもできる。
【００２９】
図３は本考案のもう１つの実施例図である。
航空器のパイロット、特に軍用機のパイロットは瞬間的な生理や心理圧力を受けることが多く、心臓麻痺や心臓功能の異常を誘起し、人員や航空器の損失を招致する原因となるのである。
この故図３では、２つの導電片５１を航空器操縦桿５の両側に備え、パイロットが両手の親指で容易に触圧できるようにし、１つの電気回路を形成する。
生理徴候信号を感測及び処理装置１で状況信号に変換し、これを機内の表示装置４で表示、または警報を出すのである。
また通信装置でこの状況信号を遠隔地に伝達したり、ＧＰＳで位置決めすることもできる。
このようにパイロットの生理状態を即時把握して、危険を未然に防ぐのである。このようにして得たパイロットの生理記録は、常時の飛行訓練の重要な参考資料ともなる。
【００３０】
本考案は、本考案の技術的思想から逸脱することなく、他の種々の形態で実施することができる。上述の実施例はあくまでも、本考案の技術内容を明らかにするものであって、そのような具体例のみに限定して狭義に解釈されるべきものではなく、本考案の精神と特許請求の範囲内で色々と変更して実施することができるものである。
【図面の簡単な説明】
【００３１】
【図１】本考案に係る運行設備に組み込まれた人体生理徴候の感測及び処理装置の構成のモデル説明図である。
【図２】本考案の第１実施例の説明図である。
【図３】本考案の第２実施例の説明図である。
【符号の説明】
【００３２】
１・・・・・・人体生理徴候の感測及び処理装置
１１・・・・・計測素子
１２、４・・・表示装置
２・・・・・・運行設備
２２・・・・・ＧＰＳとの位置決め用運信器
３・・・・・・自動車のハンドル
３１、５１・・導電片
５・・・・・・航空器の操縦桿
【図１】
0003137372.tif 000003
【図２】
0003137372.tif 000004
【図３】
0003137372.tif 000005